(57)【要約】【課題】接続する電線の種類が限定されず、また、安価に製作できるねじ無し端子を提供する。【解決手段】ねじ無し端子１は、ケース２に形成された電線挿入孔３と、電線挿入孔３の内部に配設された端子板４と、電線挿入孔３から挿入された電線９を鎖錠する鎖錠部材５と、鎖錠部材５を介して電線９を端子板４に押圧するバネ７と、ケース２から突出して設けられ、鎖錠部材５の鎖錠位置でケース２に係止可能であるとともに押圧方向を中心に回転させることによりケース２との係止が解除して鎖錠部材５を解錠位置に移動可能にする操作ツマミ８とで構成する。【選択図】図１
2006179368.tif 000002
【特許請求の範囲】
【請求項１】
ケースに形成された電線挿入孔と、該電線挿入孔の内部に配設された端子板と、前記電線挿入孔から挿入された電線を鎖錠する鎖錠部材と、該鎖錠部材を介して前記電線を前記端子板に押圧するバネと、前記ケースから突出して設けられ、前記鎖錠部材の鎖錠位置で前記ケースに係止可能であるとともに押圧方向を中心に回転させることにより前記ケースとの係止が解除して前記鎖錠部材を解錠位置に移動可能にする操作ツマミとで構成したことを特徴とするねじ無し端子。
【請求項２】
前記操作ツマミを解錠方向に付勢する付勢バネを設けたことを特徴とする請求項１に記載のねじ無し端子。
【請求項３】
前記鎖錠部材と前記ケースに前記鎖錠部材が回転しないようにするためのガイドを設けたことを特徴とする請求項１又は請求項２に記載のねじ無し端子。
【発明の詳細な説明】
【技術分野】
【０００１】
本発明は、回路遮断器に用いられて電線を接続するねじ無し端子に関する。
【背景技術】
【０００２】
従来のねじ無し端子は、ケースに形成された電線挿入口の内部に端子板と鎖錠ばねが配設され、電線挿入口から電線を挿入すると鎖錠ばねの鎖錠部が電線を鎖錠して電線が抜けないようにするとともに、鎖錠ばねの押圧部が電線を端子板に押圧して電線と端子板とを電気的に接続している。また、電線の鎖錠を解除するには解除レバーを回動操作して鎖錠ばねの鎖錠部を押し下げることにより、電線の鎖錠を解除して電線を電線挿入口から抜くことができる（例えば、特許文献１。）。
【０００３】
【特許文献１】特開２００３−２４９２８３号公報（第１−２図）
【発明の開示】
【発明が解決しようとする課題】
【０００４】
従来のねじ無し端子は、単線は接続できるが、縒り線を接続しようと電線挿入口に差し込むと鎖錠ばねの鎖錠部に当たり、電線が折れ曲がってうまく差し込めなかったり、差し込めても電線がばらけて不安定な状態になるので確実に接続できないという問題があった。また、鎖錠ばねの形状が特殊であるため、コストがかかるという問題があった。
【課題を解決するための手段】
【０００５】
請求項１に記載の発明によれば、ケースに形成された電線挿入孔と、電線挿入孔の内部に配設された端子板と、電線挿入孔から挿入された電線を鎖錠する鎖錠部材と、鎖錠部材を介して電線を端子板に押圧するバネと、ケースから突出して設けられ、鎖錠部材の鎖錠位置でケースに係止可能であるとともに押圧方向を中心に回転させることによりケースとの係止が解除して鎖錠部材を解錠位置に移動可能にする操作ツマミとで構成したことを特徴とする。
【０００６】
請求項２に記載の発明によれば、請求項１に記載のねじ無し端子において、操作ツマミを解錠方向に付勢する付勢バネを設けたことを特徴とする。
【０００７】
請求項３に記載の発明によれば、請求項１又は請求項２に記載のねじ無し端子において、鎖錠部材とケースに鎖錠部材が回転しないようにするためのガイドを設けたことを特徴とする。
【発明の効果】
【０００８】
請求項１に記載の発明によれば、接続する電線の種類が限定されず、また、使用するバネの形状が特殊でないので安価に製作できるという効果がある。
【０００９】
請求項２に記載の発明によれば、解錠時に操作ツマミを持ち上げる必要がないし、電線をスムーズに挿入することができるという効果がある。
【００１０】
請求項３に記載の発明によれば、鎖錠片の方向が電線の差し込み方向に対して直角に保持されるので電線の鎖錠を確実に行うことができるという効果がある。
【発明を実施するための最良の形態】
【００１１】
ねじ無し端子は、ケースに形成された電線挿入孔と、電線挿入孔の内部に配設された端子板と、電線挿入孔から挿入された電線を鎖錠する鎖錠部材と、鎖錠部材を介して電線を端子板に押圧するバネと、ケースから突出して設けられ、鎖錠部材の鎖錠位置でケースに係止可能であるとともに押圧方向を中心に回転させることによりケースとの係止が解除して鎖錠部材を解錠位置に移動可能にする操作ツマミとで構成する。
【実施例１】
【００１２】
本発明に係るねじ無し端子の実施例１を図１〜図６の添付図面に基づいて説明する。
【００１３】
ねじ無し端子１は、ケース２の側面に形成された電線挿入口３の内部に端子板４を配設し、端子板４と対向して鎖錠部材５がケース２の案内孔６の小径部６ａを貫通して上下動可能に配設されている。鎖錠部材５は略円柱状に形成され、端子板４と対向する下面に鎖錠片５ａが形成され、上端に拡径部５ｂが形成されている。また、鎖錠部材５の円柱部の上下方向にガイド溝５ｃが形成され、案内孔６の小径部６ａに形成された突条６ｂに鎖錠部材５のガイド溝５ｃが嵌って鎖錠部材５が回転しないようになっている。
【００１４】
鎖錠部材５の拡径部５ｂの上面にはコイル状のバネ７が設けられ、バネ７はキャップ状の操作ツマミ８に覆われ、操作ツマミ８の開口縁に内方に突設された係止片８ａが鎖錠部材５の拡径部５ｂの下面に係止することによりバネ７を収容している。操作ツマミ８の開口縁は対角する部位に外方に向けて１対の係止突起８ｂが突設され、係止突起８ｂは鎖錠部材５の鎖錠片５ａが端子板４に当接する位置で案内孔６の大径部６ｃに水平方向に形成された鎖錠用係止溝６ｄに係止可能になっている。また、案内孔６の大径部６ｃには鎖錠用係止溝６ｄから上方向に延びる逃がし溝６ｅが形成され、操作ツマミ８の係止突起８ｂが鎖錠用係止溝６ｂとの係止を解除して上方向に移動できるようになっている。尚、ケース２の表面の操作ツマミ８の周辺に表示や目印を設けると解錠位置がわかりやすい。
【００１５】
次に、ねじ無し端子１に電線９を接続する手順について説明する。まず、電線９の種類が縒り線９ａの場合、操作ツマミ８を鎖錠位置から解錠位置に回転させる。これにより、図１（ａ）に示すように操作ツマミ８の係止突起８ｂは案内孔６の鎖錠用係止溝６ｄから逃がし溝６ｅに合わされて操作ツマミ８を持ち上げることができる。操作ツマミ８を逃がし溝６ｅに沿って持ち上げると鎖錠部材５も同時に持ち上がり、縒り線９ａの挿入が可能となる。そこで縒り線９ａを電線挿入口３から奥の壁に到達するまで挿入し、図１（ｂ）に示すように操作ツマミ８を押し下げると鎖錠部材５がバネ７の力によって縒り線９ａを端子板４に押圧して鎖錠し、操作ツマミ８を押し下げた状態で鎖錠位置に回転させることにより係止突起８ｂが鎖錠用係止溝６ｄに係止して鎖錠状態でロックすることができる。
【００１６】
縒り線９ａの接続を解除するには、操作ツマミ８を解錠位置に回転させ、操作ツマミ８の係止突起８ｂを案内孔６の逃がし溝６ｅに合わせてから持ち上げることにより、縒り線９ａと鎖錠部材５の鎖錠が解除されるので縒り線９ａを抜き取ることができる。
【００１７】
また、電線９の種類が単線９ｂの場合、縒り線９ａの接続と同様に鎖錠部材５の鎖錠を解錠した状態で接続することもできるが、鎖錠部材５を鎖錠した状態で電線挿入口３に挿入して接続することもできる。これを説明すると、単線９ｂを電線挿入口３に挿入した際に鎖錠部材５に当接するが、鎖錠部材５の鎖錠片５ａは挿入方向に対して傾斜面が形成されているため、当接した位置から単線９ｂを押し込むと鎖錠部材５がバネ７の力に抗して押し上がり、更に単線９ｂを押し込むことにより単線９ｂは鎖錠部材５を越えて奥の壁まで到達する。鎖錠部材５はバネ７の力により単線９ｂを端子板４に押圧して鎖錠し、単線９ｂと端子板４を電気的に接続する。
【００１８】
単線９ｂの接続を解除するには、縒り線９ａの場合と同様に操作ツマミ８を鎖錠位置から解錠位置に回転させて操作ツマミ８の係止突起８ｂを案内孔６の逃がし溝６ｅに合わせて持ち上げることにより、単線９ｂと鎖錠部材５の鎖錠が解除されるので単線９ｂを抜き取ることができる。
【実施例２】
【００１９】
本発明に係るねじ無し端子の実施例２を図７及び図８の添付図面に基づいて説明する。尚、実施例１と同一部分は同一符号を付して説明を省略する。
【００２０】
本実施例では、図７に示すようにケース２の案内孔６の小径部６ａから大径部６ｃになる段差部分と操作ツマミ８の係止片８ａとの間に操作ツマミ８を解錠方向に付勢するコイル状の付勢バネ１０が鎖錠部材５を貫通させて設けられている。
【００２１】
これにより、操作ツマミ８を解錠位置に合わせた際に操作ツマミ８を持ち上げなくても図８に示すように付勢バネ１０の力によって操作ツマミ８が押し上げられるので、電線の挿入をスムーズに行うことができる。
【図面の簡単な説明】
【００２２】
【図１】本発明の第１実施例に係るねじ無し端子の鎖錠状態を示し、（ａ）は側面断面図、（ｂ）は正面断面図である。
【図２】本発明の第１実施例に係るねじ無し端子の解錠状態を示し、（ａ）は側面断面図、（ｂ）は正面断面図である。
【図３】本発明の第１実施例に係るねじ無し端子に縒り線を接続した際の鎖錠状態を示し、（ａ）は側面断面図、（ｂ）は正面断面図である。
【図４】本発明の第１実施例に係るねじ無し端子の鎖錠状態を示し、（ａ）は側面断面図、（ｂ）は正面断面図である。
【図５】本発明の第１実施例に係るねじ無し端子に単線を接続した際の鎖錠状態を示し、（ａ）は側面断面図、（ｂ）は正面断面図である。
【図６】本発明の第１実施例に係るねじ無し端子に接続した単線を抜き取るために解錠した状態を示し、（ａ）は側面断面図、（ｂ）は正面断面図である。
【図７】本発明の第２実施例に係るねじ無し端子の鎖錠状態を示し、（ａ）は側面断面図、（ｂ）は正面断面図である。
【図８】本発明の第２実施例に係るねじ無し端子の解錠状態を示し、（ａ）は側面断面図、（ｂ）は正面断面図である。
【符号の説明】
【００２３】
１    ねじ無し端子
２    ケース
３    電線挿入口
４    端子板
５    鎖錠部材
５ａ    鎖錠片
５ｂ    拡径部
５ｃ    ガイド溝
６    案内孔
６ａ    小径部
６ｂ    突条
６ｃ    大径部
６ｄ    鎖錠用係止溝
６ｅ    逃がし溝
７    バネ
８    操作ツマミ
８ａ    係止片
８ｂ    係止突起
９    電線
【図１】
2006179368.tif 000003
【図２】
2006179368.tif 000004
【図３】
2006179368.tif 000005
【図４】
2006179368.tif 000006
【図５】
2006179368.tif 000007
【図６】
2006179368.tif 000008
【図７】
2006179368.tif 000009
【図８】
2006179368.tif 000010